【事件の表示】
　特許第３１１１０３４号「カラーインクジェット記録方法およびカラーインクジェット装置」の請求項１ないし４に係る特許に対する特許異議の申立てについて、次のとおり決定する。
【結　論】
　訂正を認める。
　特許第３１１１０３４号の請求項１ないし４に係る特許を維持する。
【理　由】
１．手続の経緯
　特許第３１１１０３４号の請求項１ないし４に係る発明についての出願は、平成２年１０月１１日に出願した特願平２−２７２９１０号の一部を平成９年１月６日に新たな特許出願としたものであって、平成１２年９月１４日にその特許権の設定登録がなされ、その後、東谷満、高橋豊治より特許異議の申立てがなされ、取消しの理由が通知され、その指定期間内である平成１３年１０月１５日に訂正請求（後日取り下げ）がなされた後、再度の取消しの理由が通知され、その指定期間内である平成１４年４月１日に訂正請求がなされたものである。
　
２．訂正の適否についての判断
（１）訂正の内容
ア．訂正事項ａ
　特許請求の範囲の請求項１の記載について、
「複数の色インク及び黒インクを個別に噴射するインクジェットヘッドにより記録紙上に記録を行うカラーインクジェット記録方法において、
　前記色インクを、当該色インクが記録紙の耐水剤を溶かし、記録紙中に浸透する作用により、インクの定着時間を１０秒以下となるよう組成を規定するとともに、
　前記黒インクを、当該黒インクが記録紙の耐水剤を溶かし、記録紙中に浸透する作用が色インクよりも弱くなるよう組成を規定し、
　前記黒インクは単色で、前記色インクは所望の色を得る場合に相互に重ね合わせることで記録を行うことを特徴とするカラーインクジェット記録方法。」
とあるのを、
「複数の色インク及び黒インクを個別に噴射するインクジェットヘッドにより記録紙上に記録を行うカラーインクジェット記録方法において、
　前記色インクを、当該色インクが記録紙の耐水剤を溶かし、記録紙中に浸透する作用により、インクの定着時間を１０秒以下となるよう
にヘキシレングリコールを混入する
　前記黒インクを、当該黒インクが記録紙の耐水剤を溶かし、記録紙中に浸透する作用が色インクよりも弱くなるよう
にヘキシレングリコールを前記色インクの半量混入
　前記黒インクは単色で、前記色インクは所望の色を得る場合に相互に重ね合わせることで記録を行
い、前記黒インクおよび前記色インクを使用してカラー記録を行
と訂正する（訂正個所にアンダーラインを付した。以下、同じ。）。
イ．訂正事項ｂ
　特許請求の範囲の請求項２の記載について、
「複数の色インク及び黒インクを個別に噴射するインクジェットヘッドにより記録紙上に記録を行うカラーインクジェット記録方法において、
　前記色インク中に、記録紙の耐水剤を溶かし、記録紙中にインクを浸透させて、インクの定着時間を１０秒以下にせしめる添加材料を含有させるとともに、
　前記黒インク中に、記録紙の耐水剤を溶かし、記録紙中にインクを浸透させる作用が色インクよりも弱い添加材料を含有させ、
　前記黒インクは単色で、前記色インクは所望の色を得る場合に相互に重ね合わせることで記録を行うことを特徴とするカラーインクジェット記録方法。」
とあるのを、
「複数の色インク及び黒インクを個別に噴射するインクジェットヘッドにより記録紙上に記録を行うカラーインクジェット記録方法において、
　前記色インク中に、記録紙の耐水剤を溶かし、記録紙中にインクを浸透させて、インクの定着時間を１０秒以下にせしめる添加材料を含有させるとともに、前記黒インク中に、記録紙の耐水剤を溶かし、記録紙中にインクを浸透させる作用が色インクよりも弱
くなるように前記添加材料
い、前記黒インクおよび前記色インクを使用してカラー記録を行
と訂正する。
ウ．訂正事項ｃ
　特許請求の範囲の請求項３の記載について、
「前記色インクの添加材料の含有量が、前記黒インクより多いことを特徴とする請求項２記載のカラーインクジェット記録方法。」
とあるのを、
「前記色インクの添加材料の含有量が、前記黒インクより多
くなるようにして、前記黒インク及び前記色インクを使用してカラー記録を行う
と訂正する。
エ．訂正事項ｄ
　特許請求の範囲の請求項４の記載について、
「複数の色インク及び黒インクを個別に噴射するインクジェットヘッドにより記録紙上に記録を行うカラーインクジェット記録装置において、
　前記色インクを、当該色インクが記録紙の耐水剤を溶かし、記録紙中に浸透する作用により、インクの定着時間を１０秒以下となるよう組成を規定するとともに、
　前記黒インクを、当該黒インクが記録紙の耐水剤を溶かし、記録紙中に浸透する作用が色インクよりも弱くなるよう組成を規定し、
　前記黒インクは単色で、前記色インクは所望の色を得る場合に相互に重ね合わせることで、カラー記録を行うことを特徴とするカラーインクジェット記録装置。」
とあるのを、
「複数の色インク及び黒インクを個別に噴射するインクジェットヘッドにより記録紙上に記録を行うカラーインクジェット記録装置において、
　前記色インクを、当該色インクが記録紙の耐水剤を溶かし、記録紙中に浸透する作用により、インクの定着時間を１０秒以下となるよう
にヘキシレングリコールを含有
　前記黒インクを、当該黒インクが記録紙の耐水剤を溶かし、記録紙中に浸透する作用が色インクよりも弱
くなるように前記色インクに含有させる量の半量のヘキシレングリコールを含有させ
　前記黒インクは単色で、前記色インクは所望の色を得る場合に相互に重ね合わせることで、カラー記録を行
い、前記黒インクおよび前記色インクを使用してカラー記録を行
と訂正する。
オ．訂正事項ｅ
　明細書の段落【０００６】の記載について、
「【課題を解決するための手段】本発明のカラーインクヘッド記録方法は、複数の色インク及び黒インクを個別に噴射するインクジェットヘッドにより記録紙上に記録を行うカラーインクジェット記録方法において、前記色インクを、当該色インクが記録紙の耐水剤を溶かし、記録紙中に浸透する作用により、１０秒以下となるよう組成を規定するとともに、前記黒インクを、当該黒インクが記録紙の耐水剤を溶かし、記録紙中に浸透する作用が色インクよりも弱くなるよう組成を規定し、前記黒インクは単色で、前記色インクは所望の色を得る場合に相互に重ね合わせることで記録を行う。」
とあるのを、
「【課題を解決するための手段】
　本発明のカラーインクヘッド記録方法は、複数の色インク及び黒インクを個別に噴射するインクジェットヘッドにより記録紙上に記録を行うカラーインクジェット記録方法において、前記色インクを、当該色インクが記録紙の耐水剤を溶かし、記録紙中に浸透する作用により、
インクの定着時間を
にヘキシレングリコールを混入する
にヘキシレングリコールを前記色インクの半量混入
い、前記黒インクおよび前記色インクを使用してカラー記録を行
と訂正する。
　
（２）訂正の適否、新規事項の有無、及び特許請求の範囲の拡張・変更の存否
　上記訂正事項ａ〜ｅに関連する記載として、願書に添付した明細書には、「色インクに含有されるヘキシレングリコールは１０ｗｔ％であり、これに対して黒インクに含有されるヘキシレングリコールは５ｗｔ％であり、色インクのヘキシレングリコールの含有量が多くなっている。ヘキシレングリコールは記録紙６の耐水剤をとかす作用があり、含有量が多くなると、定着時間が短くなる。このように、色インクの定着時間を黒インクの定着時間より短くなるようにしており、また、色インクの定着時間を所定時間、例えば１０秒以下となるようにしている。」（段落【００１５】）、「上記の色インクおよび黒インクを使用して、インクジェットヘッド４Ａ〜４Ｄを駆動して、記録紙６にカラー記録を行った」（段落【００１６】）と記載されている。
　
（２−１）訂正事項ａについて
　上記訂正事項ａは、願書に添付した明細書に記載された事項の範囲内において、「色インクを、当該色インクが記録紙の耐水剤を溶かし、記録紙中に浸透する作用により、インクの定着時間を１０秒以下となるよう組成を規定する」とあるのを、「色インクを、当該色インクが記録紙の耐水剤を溶かし、記録紙中に浸透する作用により、インクの定着時間を１０秒以下となるよう
にヘキシレングリコールを混入する
にヘキシレングリコールを前記色インクの半量混入
前記黒インクおよび前記色インクを使用してカラー記録を行
（２−２）訂正事項ｂについて
　上記訂正事項ｂは、願書に添付した明細書に記載された事項の範囲内において、「黒インク中に、記録紙の耐水剤を溶かし、記録紙中にインクを浸透させる作用が色インクよりも弱い添加材料を含有させ、」とあるのを、「黒インク中に、記録紙の耐水剤を溶かし、記録紙中にインクを浸透させる作用が色インクよりも弱
くなるように前記添加材料
前記黒インクおよび前記色インクを使用してカラー記録を行
（２−３）訂正事項ｃについて
　上記訂正事項ｃは、願書に添付した明細書に記載された事項の範囲内において、「
前記黒インクおよび前記色インクを使用してカラー記録を行
（２−４）訂正事項ｄについて
　上記訂正事項ｄは、願書に添付した明細書に記載された事項の範囲内において、「色インクを、当該色インクが記録紙の耐水剤を溶かし、記録紙中に浸透する作用により、インクの定着時間を１０秒以下となるよう組成を規定する」とあるのを、「色インクを、当該色インクが記録紙の耐水剤を溶かし、記録紙中に浸透する作用によりインクの定着時間を１０秒以下となるよう
にヘキシレングリコールを含有する
に前記色インクに含有させる量の半量のヘキシレングリコールを含有させ
前記黒インクおよび前記色インクを使用してカラー記録を行
（２−５）訂正事項ｅについて
　訂正事項ｅは、上記訂正事項ａと整合を図るもので、明りょうでない記載の釈明を目的とした明細書の訂正に該当する。
　
　よって、訂正事項ａ〜ｅのいずれも新規事項の追加に該当せず、実質的に特許請求の範囲を拡張または変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立についての判断
（１）申立の理由の概要
　異議申立人東谷満は、本件特許に対して、証拠として、甲第１号証（特開平１−１５８０８３号公報）、甲第２号証（特開昭５８−７２４６１号公報）、甲第３号証（特開平２−１５８６６９号公報）、甲第４号証（特公昭６３−２９９６号公報）、甲第５号証（本件分割出願の親出願にかかる異議申立（平成１０年異議第７２６３５号）における平成１１年５月１１日付けの決定）、甲第６号証（特開平９−２９５４１８号）を提出し、
（Ａ）請求項１ないし４に係る発明の特許は、甲第１号証に記載された発明ないし甲第４号証に記載された発明及び甲第６号証に記載された発明に基づいて当業者が容易に発明をすることができたものであるから、特許法第２９条第２項の規定により特許を受けることができないものであること、
（Ｂ）請求項２及び３の記載が、特許法第３６条第４項及び第５項に規定される要件を満たしていない（明細書の記載不備がある）こと、
（Ｃ）平成１２年２月１４日付けでした手続補正は、不適法な補正であること
から、請求項１ないし４に係る発明の特許は、拒絶の査定をしなければならない特許出願に対してされたものであると主張している。
　
　異議申立人高橋豊治は、本件特許に対して、証拠として、甲第１号証（特開昭６０−２５３５５０号公報）、甲第２号証（特開平１−１５８０８３号公報）、甲第３号証（特開平２−１５８６６９号公報）、甲第４号証（特開昭５８−７２４６１号公報）を提出し、
（Ａ）請求項１ないし４に係る発明の特許は、甲第１号証に記載された発明ないし甲第４号証に記載された発明に基づいて当業者が容易に発明をすることができたものであるから、特許法第２９条第２項の規定により特許を受けることができないものであること、
（Ｂ）特許明細書の記載が、特許法第３６条第３項に規定される要件を満たしていない（明細書の記載不備がある）こと
から、請求項１ないし４に係る発明の特許は、拒絶の査定をしなければならない特許出願に対してされたものであると主張している。
　
（２）本件発明
　上記２．で示したように上記訂正が認められるから、特許第３１１１０３４号の請求項１ないし４に係る発明は、上記訂正に係る訂正明細書の特許請求の範囲の請求項１ないし４に記載されたとおりのものである（上記、２．（１）ア．訂正事項ａないしエ．訂正事項ｄ参照。以下、それぞれを「本件発明１」ないし「本件発明４」という。）。
　
（３）引用刊行物等
　平成１３年８月７日付けの取消理由通知で引用した刊行物１ないし５には、以下のような事項等が記載されている。
刊行物１：特開平１−１５８０８３号公報（特許異議申立人東谷満が提出した甲第１号証、特許異議申立人高橋豊治が提出した甲第２号証）
ａ．「上記課題を解決するために本発明はインクジェット記録用インクにおいて、着色剤と浸透剤と２０℃において粘度が６ｍＰａｓ以下でかつ蒸気圧が２ｍｍＨｇ以下の極性溶媒を含むことを特徴とする。」（第３頁右上欄下から２行〜左下欄第３行）
ｂ．「インクの定着性：記録１秒後に記録部をガーゼでこすり、汚れの有無によって記録紙に対するインクの定着性を判断した。」（第７頁右上欄下から５行〜下から２行）
ｃ．「本発明のインク・・・を用いて、第４図に示す装置によって、カラーインクジェット記録を行った。第４図において記録ヘッド１はインクタンク３からインク供給パイプ４を通じて、イエロー、マジェンタ、シアン、ブラックの各色インクの供給を受ける。記録ヘッド１には前記各色インク吐出口２が複数設けられ、記録ヘッド駆動制御回路５からフレキシブルケーブル６を通って電気的信号が伝えられ、圧電素子制御、電界制御、荷電制御、熱インクジェットなどのインク吐出手段によってインク液滴８を吐出し、対向する記録紙７にドット像を形成するものである。・・・該装置を用いて、イエロー、マジェンタ、シアン、ブラック（以下、単色と言う）の４色のインクの減色混合によりフルカラー画像を記録できる。・・・本発明のインクを汎用記録紙へのフルカラー印字に用いた場合、速乾性が高く、異色のインク同志のにじみのない高品質のカラー印字が記録でき、かつそれは色再現性に優れたものであった。」（第８頁左下欄下から４行〜第９頁左上欄第６行）
ｄ．「本発明のインクをカラーインクジェット記録に応用した場合、インク定着度が速いためカラーインク同志の重ね合わせが容易にでき、異色のインク同志のにじみが少なく高品質のカラー印字が記録できた。」（第９頁左上欄下から２行〜右上欄第３行）
　また、第２表では、本発明に使用するインクの例として様々な組成を有するインクが開示され、第４表では、各インクの定着時間がいずれも１秒以内であることを示している。
　
刊行物２：特開昭５８−７２４６１号公報（特許異議申立人東谷満が提出した甲第２号証、特許異議申立人高橋豊治が提出した甲第４号証）
ａ．「本発明の目的はインクジェット記録装置にプラテン加熱装置を設けることによって、高解像度の記録結果を速かに定着させ、解像度の高い記録を可能とした装置を提供することにある。」（第２頁左上欄下から８行〜下から５行）
ｂ．「一般にインクジェット記録装置において、記録媒体に付着したインクの定着は記録媒体内部へのインク浸透と空気中へのインク溶剤の蒸発により行なわれる。つまり、インクの定着時間は記録媒体のインク浸透速度とインクの蒸発速度に依存する。従って、インク浸透速度の速い記録媒体では記録の解像度は低下する。逆に高解像度の記録を行える記録媒体ではインクの浸透速度が遅く、インクの定着は主にインク溶剤の蒸発により進行する。そのため、高解像度の記録が行なえる記録媒体を従来のインクジェット記録装置に使用した場合、インクが定着するには可成り長い時間が必要である。そこで、本発明では第３図に示すように従来のインクジェット記録装置のプラテン１と記録媒体１１が接触しない領域で、該プラテンに近接した位置にプラテン加熱装置１２を設けプラテン１を加熱する。・・・加熱装置１２により加熱されたプラテン部分が回転し、記録媒体１１に接し、記録媒体１１を加熱状態にしてプリントヘッド７により印字されるので、、インク溶剤の蒸発を促進して、インク定着時間を短かくすることができる。」（第２頁右上欄第２行〜左下欄第１１行）
ｃ．「必要なインク定着時間は記録装置の構造により異なり、又単色に比べカラー記録の場合はより短かい定着時間が要求される。」（第３頁左上欄下から４行〜下から２行）
　
刊行物３：特開平２−１５８６６９号公報（特許異議申立人東谷満が提出した甲第３号証、特許異議申立人高橋豊治が提出した甲第３号証）
ａ．「少なくとも水溶性染料と一種類以上の水溶性有機溶媒とから成る水性インクにおいて、ロジンを１０重量％以上完全溶解する水溶性有機溶媒を含有させたことを特徴とする水性インク。」（特許請求の範囲）
ｂ．「インクジェット記録用等に用いられる水性インク」（第１頁左下欄第１１行〜第１２行）
ｃ．「ロジンは上中質紙のサイズ剤（紙の耐水性を向上するために原料に加えられる材料）として広く用いられている。本発明の水性インクは、所定量のロジンを完全溶解する水溶性有機溶媒を含有しているため、記録時に、上中質紙に施されているサイズ効果を破壊する。従って、インクが紙に浸透しやすくなり、インク定着時間が短縮される。」（第２頁左下欄第１０行〜第１６行）
ｄ．「本出願人は、・・・ロジンを完全溶解する水溶性有機溶媒を含有するインクが上中質紙に迅速に定着することを見いだした。これは、インクに含まれるロジンを溶解する水溶性有機溶媒が記録時に上中質紙に施されているサイズ効果を破壊してインクが紙に浸透しやすくなるためである。」（第２頁右下欄第３行〜第１１行）
ｅ．「本表１に明らかなように、ロジンを完全溶解するヘキシレングリコール・・・を溶媒に使用したインクは、各種記録紙に数秒以内に定着した。これは、インクジェット記録において要求される定着時間を充分に満足するレベルである。」（第３頁右上欄第９行〜第１５行）
ｆ．「本表に明らかなように、ヘキシレングリコールを約１０重量％以上含有するインクは記録紙に数秒以内で定着し、特にサイズの強い記録紙・・・にも５秒程度で定着した。・・・本発明のインクは、ロジンをサイズ剤として用いた紙だけでなく、他のサイズ剤を用いた酸性紙や、・・・中性紙に対しても充分な効果を示した。」（第３頁左下欄第７行〜第１６行）
　また、表２には、ヘキシレングリコールの量が増えると、記録紙への定着時間が短くなることが記載されている。
　
刊行物４：特公昭６３−２９９６号公報（特許異議申立人東谷満が提出した甲第４号証）
ａ．「インクジェット記録装置等のプリンタ用流体インクとして、塩基性物質を含みインクｐｈ値が２０℃において１２〜１４の範囲にあることを特徴とするプリンタ用流体インク。」（特許請求の範囲）
ｂ．「本発明の趣旨は、・・・サイズ剤材料、・・・を化学的に溶解させる成分をインクジェット記録用インク中に存在させ、この成分により紙を腐蝕することにより、インクの浸透を迅速にするもので、」（第２頁第４欄第７行〜第１２行）
ｃ．「本発明のインクは、インク粒が紙に付着した瞬間に紙パルプをおおうサイズ剤材料を溶かして、紙の繊維パルプに迅速に浸透するものである」（第４頁第８欄第２０行〜第２２行）
ｄ．「実施例１〜８のインクを・・・ジェット印刷を行ったところ、印字濃度、印字品質が高く、しかも印刷後５秒以下で乾燥した。」（第６頁第１２欄第１３行〜第１６行）
　
刊行物５：特開昭６０−２５３５５０号公報（特許異議申立人高橋豊治が提出した甲第１号証）
ａ．「インクジェット記録法によりカラー画像を形成する場合には、減法混色法による記録法が代表的な方法として挙げられる。減法混色法によりカラー画像が形成される場合には、一般にシアン（Ｃ）、マゼンタ（Ｍ）及びイエロー（Ｙ）の三原色が使用されている。・・・従って、このような記録法によって記録を行なう場合には、基本的には、Ｃ、Ｍ及びＹの三原色用の３つのインクを用意しておけば良い。しかしながら、一般に記録が行なわれる際にはＢＫによって記録する頻度が高い・・・一般的には、Ｃ、Ｍ及びＹの３原色インクに加えて、ＢＫインクが追加されて使用されている。・・・Ｃ、Ｍ、Ｙの３原色インク及びＢＫインクの４色のインクを用いて記録を行なうと、・・・Ｂ、Ｇ及びＲの印字部に於いて、異色の２つのインク滴が重ね打ちされ、一方ＢＫ印字部に於いてはＢＫインクの１液滴のみが付着することになる。」（第１頁右下欄下から３行〜第２頁右上欄下から３行）
　
（４）対比・判断
　まず、上記記載ａ〜ｄを含む明細書及び図面によると、刊行物１には、下記の発明が記載されているものと認められる。
「イエロー、マジェンタ、シアン、ブラックの各色インク吐出口が複数設けられた記録ヘッドにより記録紙にドット像を形成するカラーインクジェット記録において、４色のインクの減色混合によりフルカラー画像を記録でき、各インクの定着時間が１秒以内であるカラーインクジェット記録。」（以下、「刊行物１発明」という。）
（４−１）本件発明１について
　本件発明１と刊行物１発明とを対比する。
　刊行物１発明の、「イエロー、マジェンタ、シアン、ブラック」、「記録ヘッド」は、それぞれの機能に照らし、それぞれ、本件発明１の「複数の色インク及び黒インク」、「インクジェットヘッド」に相当する。
　刊行物１発明の「記録紙にドット像を形成する」ことは、本件発明１の「記録紙上に記録を行う」ことに相当する。
　刊行物１発明の記録ヘッドは、図面第４図の記載を鑑みると、イエロー、マジェンタ、シアン、ブラックを個別に噴射する構成であるから、刊行物１発明の記録ヘッド（インクジェットヘッド）は、本件発明１のように、複数の色インク及び黒インクを個別に噴射するインクジェットヘッドである。
　刊行物１発明は、各インクの定着時間が１秒以内であるから、本件発明１とは、色インクの定着時間が１０秒以下である点で共通する。
　刊行物１発明は、４色のインクの減色混合によりフルカラー画像を記録できるものであるから、黒インクは単色で記録を行う点については明記されていないものの、本件発明１とは、色インクは所望の色を得る場合に相互に重ね合わせることで記録を行う点、及び、黒インクおよび色インクを使用してカラー記録を行う点で共通する。
　
　してみると、本件発明１と刊行物１発明とは、
「複数の色インク及び黒インクを個別に噴射するインクジェットヘッドにより記録紙上に記録を行うカラーインクジェット記録方法において、
　前記色インクを、インクの定着時間を１０秒以下となるようするとともに、
　前記色インクは所望の色を得る場合に相互に重ね合わせることで記録を行い、前記黒インクおよび前記色インクを使用してカラー記録を行うことを特徴とするカラーインクジェット記録方法。」
である点で、一致し、次の点で相違する。
　
［相違点１］
　色インクを、当該色インクが記録紙の耐水剤を溶かし、記録紙中に浸透するように、ヘキシレングリコールを混入する点。
［相違点２］
　黒インクを、当該黒インクが記録紙の耐水剤を溶かし、記録紙中に浸透する作用が色インクよりも弱くなるようにヘキシレングリコールを前記色インクの半量混入する点。
［相違点３］
　黒インクは単色で記録を行う点。
　
　そこで、刊行物２ないし５の記載事項をふまえて、上記相違点について検討する。
　
　刊行物２には、従来のインクジェット記録装置のプラテン１と記録媒体１１が接触しない領域で、該プラテンに近接した位置にプラテン加熱装置１２を設けることによって、高解像度の記録結果を速かに定着させ、解像度の高い記録を可能とした構成、そのような構成においては、単色に比べカラー記録の場合はより短かい定着時間が要求されることが記載されている。
  刊行物３には、インクジェット記録用等に用いられる水性インクにおいて、紙のサイズ剤を完全溶解するために、ヘキシレングリコールを溶媒に使用し、ヘキシレングリコールの量が増えると、インクの記録紙への定着時間が短くなることが記載されている。
　刊行物４には、サイズ剤材料を化学的に溶解させる成分をインクジェット記録用インク中に存在させ、インクの浸透を迅速にする構成が記載されている。
　刊行物５には、一般に記録が行なわれる際にはＢＫによって記録する頻度が高いので、Ｃ、Ｍ及びＹの３原色インクに加えて、ＢＫインクが追加されて使用され、ＢＫ印字部に於いてはＢＫインクの１液滴のみが付着することが記載されている。
　
［相違点１について］
　刊行物３には、インクジェット記録用等に用いられる水性インクにおいて、紙のサイズ剤を完全溶解するために、ヘキシレングリコールを溶媒に使用することが記載されているので、刊行物１発明において、色インクを、当該色インクが記録紙の耐水剤を溶かし、記録紙中に浸透するように、ヘキシレングリコールを混入する程度のことは容易に想到しうる程度のものに過ぎない。
　
［相違点２について］
　刊行物３には、インクジェット記録用等に用いられる水性インクにおいて、紙のサイズ剤を完全溶解するために、ヘキシレングリコールを溶媒に使用することが記載されているので、刊行物１発明において、黒インクを、当該黒インクが記録紙の耐水剤を溶かし、記録紙中に浸透するように、ヘキシレングリコールを混入する程度のことは容易に想到しうる程度のものである。しかしながら、上記刊行物２ないし５のいずれにも、黒インクを、当該黒インクが記録紙の耐水剤を溶かし、記録紙中に浸透する作用が色インクよりも弱くなるようにヘキシレングリコールを前記色インクの半量混入する点については、記載も示唆もされていない。
　確かに、刊行物２には、単色に比べカラー記録の場合はより短かい定着時間が要求されることが記載されており、刊行物３には、ヘキシレングリコールの量が増えると、インクの記録紙への定着時間が短くなることが記載されている。
　しかしながら、刊行物２の構成は、従来のインクジェット記録装置のプラテン１と記録媒体１１が接触しない領域で、該プラテンに近接した位置にプラテン加熱装置１２を設ける図面第３図のような構成であり、仮に、本件発明１のように黒インクと色インクで記録媒体へのインクの浸透速度を変化させるためには、プラテン加熱装置は、黒インクの個所と色インクの個所で、加熱温度を変えるような構成であることが必要となるが、そのような構成は記載も示唆もされていない。すなわち、刊行物２の構成は、単色すなわち一色で記録する場合と、カラー記録をする場合で、加熱温度を変えるような構成に過ぎず、黒インクおよび色インクを使用してカラー記録を行う際に、インク毎に定着時間を変えるという思想は何ら出てこないし、刊行物３においても、ヘキシレングリコールの量が増えると、インクの記録紙への定着時間が短くなることが記載されているものの、インク毎にヘキシレングリコールの量を変えるという思想は何ら出てこない。
　したがって、刊行物１ないし５に記載されたものからでは、黒インクを、当該黒インクが記録紙の耐水剤を溶かし、記録紙中に浸透する作用が色インクよりも弱くなるようにヘキシレングリコールを前記色インクの半量混入する点については容易に発明することが出来たものとは言えない。
　
［相違点３について］
　刊行物５には、ＢＫ印字部に於いてはＢＫインクの１液滴のみが付着することが記載されており、これは、黒インクは単色で記録を行うことを意味するものであるし、刊行物１発明の構成においても、黒インクを噴射する構成が記載されているので、記録紙上に黒く印刷をする場合には、黒インクを単色で記録するような構成とすることは容易に想到しうる程度のものに過ぎない。
　
　上記の通りであるから、上記刊行物１ないし５のいずれにも、本件発明１の構成要件である、黒インクを、当該黒インクが記録紙の耐水剤を溶かし、記録紙中に浸透する作用が色インクよりも弱くなるようにヘキシレングリコールを前記色インクの半量混入する点について、記載も示唆もされていない。
　そして、本件発明１は、黒インクを、当該黒インクが記録紙の耐水剤を溶かし、記録紙中に浸透する作用が色インクよりも弱くなるようにヘキシレングリコールを前記色インクの半量混入する点により、「本発明によれば、色インクは数秒程度で浸透定着するので、色間での液状での混ざり合いが生じないために、鮮明な境界部を形成し、しかも定着時間が色インクより長い黒インクにより、単色でのみ使用される文字等の記録を行うため濃度の高い黒記録が実現できるなど、黒及びカラーの記録の両方について良好な印字品位を得ることができる。」（訂正明細書段落【００１６】参照。）という上記刊行物１ないし５に記載されたものから当業者が予測できない顕著な作用効果を奏するものである。
　したがって、本件発明１は、上記刊行物１ないし５のいずれかに記載された発明と同一であるとは言えず、上記刊行物１ないし５に記載された発明に基づいて当業者が容易に発明をすることができたものとも言えない。
　
（４−２）本件発明２について
　本件発明２と刊行物１発明とを対比する。
　刊行物１発明の、「イエロー、マジェンタ、シアン、ブラック」、「記録ヘッド」は、それぞれの機能に照らし、それぞれ、本件発明２の「複数の色インク及び黒インク」、「インクジェットヘッド」に相当する。
　刊行物１発明の「記録紙にドット像を形成する」ことは、本件発明２の「記録紙上に記録を行う」ことに相当する。
　刊行物１発明の記録ヘッドは、図面第４図の記載を鑑みると、イエロー、マジェンタ、シアン、ブラックを個別に噴射する構成であるから、刊行物１発明の記録ヘッド（インクジェットヘッド）は、本件発明２のように、複数の色インク及び黒インクを個別に噴射するインクジェットヘッドである。
　刊行物１発明は、各インクの定着時間が１秒以内であるから、本件発明２とは、色インクの定着時間が１０秒以下である点で共通する。
　刊行物１発明は、４色のインクの減色混合によりフルカラー画像を記録できるものであるから、黒インクは単色で記録を行う点については明記されていないものの、本件発明２とは、色インクは所望の色を得る場合に相互に重ね合わせることで記録を行う点、及び、黒インクおよび色インクを使用してカラー記録を行う点で共通する。
　
　してみると、本件発明２と刊行物１発明とは、
「複数の色インク及び黒インクを個別に噴射するインクジェットヘッドにより記録紙上に記録を行うカラーインクジェット記録方法において、
　前記色インクを、インクの定着時間を１０秒以下にせしめるとともに、
　前記色インクは所望の色を得る場合に相互に重ね合わせることで記録を行い、前記黒インクおよび前記色インクを使用してカラー記録を行うことを特徴とするカラーインクジェット記録方法。」
である点で、一致し、次の点で相違する。
　
［相違点１］
　色インク中に、記録紙の耐水剤を溶かし、記録紙中にインクを浸透させるように、添加材料を含有する点。
［相違点２］
　黒インク中に、記録紙の耐水剤を溶かし、記録紙中にインクを浸透させる作用が色インクよりも弱くなるように添加材料を含有する点。
［相違点３］
　黒インクは単色で記録を行う点。
　
　そこで、刊行物２ないし５の記載事項をふまえて、上記相違点について検討する。
　
　刊行物２ないし５には、（４−１）に記載された事項が記載されている。
　そして、刊行物３の「ヘキシレングリコール」は、本件発明２の「添加材料」に相当する。
　
［相違点１について］
　刊行物３には、インクジェット記録用等に用いられる水性インクにおいて、紙のサイズ剤を完全溶解するために、ヘキシレングリコールを溶媒に使用することが記載されているので、刊行物１発明において、色インク中に、記録紙の耐水剤を溶かし、記録紙中にインクを浸透させるように、添加材料を含有する程度のことは容易に想到しうる程度のものに過ぎない。
　
［相違点２について］
　刊行物３には、インクジェット記録用等に用いられる水性インクにおいて、紙のサイズ剤を完全溶解するために、ヘキシレングリコールを溶媒に使用することが記載されているので、刊行物１発明において、黒インクを、当該黒インクが記録紙の耐水剤を溶かし、記録紙中に浸透するように、添加材料を含有する程度のことは容易に想到しうる程度のものである。しかしながら、上記刊行物２ないし５のいずれにも、黒インク中に、記録紙の耐水剤を溶かし、記録紙中にインクを浸透させる作用が色インクよりも弱くなるように添加材料を含有する点については、記載も示唆もされていない。
　確かに、刊行物２には、単色に比べカラー記録の場合はより短かい定着時間が要求されることが記載されており、刊行物３には、ヘキシレングリコールの量が増えると、インクの記録紙への定着時間が短くなることが記載されている。
　しかしながら、刊行物２の構成は、従来のインクジェット記録装置のプラテン１と記録媒体１１が接触しない領域で、該プラテンに近接した位置にプラテン加熱装置１２を設ける図面第３図のような構成であり、仮に、本件発明２のように黒インクと色インクで記録媒体へのインクの浸透速度を変化させるためには、プラテン加熱装置は、黒インクの個所と色インクの個所で、加熱温度を変えるような構成であることが必要となるが、そのような構成は記載も示唆もされていない。すなわち、刊行物２の構成は、単色すなわち一色で記録する場合と、カラー記録をする場合で、加熱温度を変えるような構成に過ぎず、黒インクおよび色インクを使用してカラー記録を行う際に、インク毎に定着時間を変えるという思想は何ら出てこないし、刊行物３においても、ヘキシレングリコールの量が増えると、インクの記録紙への定着時間が短くなることが記載されているものの、インク毎にヘキシレングリコールの量を変えるという思想は何ら出てこない。
　したがって、刊行物１ないし５に記載されたものからでは、黒インク中に、記録紙の耐水剤を溶かし、記録紙中にインクを浸透させる作用が色インクよりも弱くなるように添加材料を含有する点については容易に発明することが出来たものとは言えない。
　
［相違点３について］
　刊行物５には、ＢＫ印字部に於いてはＢＫインクの１液滴のみが付着することが記載されており、これは、黒インクは単色で記録を行うことを意味するものであるし、刊行物１発明の構成においても、黒インクを噴射する構成が記載されているので、記録紙上に黒く印刷をする場合には、黒インクを単色で記録するような構成とすることは容易に想到しうる程度のものに過ぎない。
　
　上記の通りであるから、上記刊行物１ないし５のいずれにも、本件発明２の構成要件である、黒インク中に、記録紙の耐水剤を溶かし、記録紙中にインクを浸透させる作用が色インクよりも弱くなるように添加材料を含有する点について、記載も示唆もされていない。
　そして、本件発明２は、黒インク中に、記録紙の耐水剤を溶かし、記録紙中にインクを浸透させる作用が色インクよりも弱くなるように添加材料を含有する点により、「本発明によれば、色インクは数秒程度で浸透定着するので、色間での液状での混ざり合いが生じないために、鮮明な境界部を形成し、しかも定着時間が色インクより長い黒インクにより、単色でのみ使用される文字等の記録を行うため濃度の高い黒記録が実現できるなど、黒及びカラーの記録の両方について良好な印字品位を得ることができる。」（訂正明細書段落【００１６】参照。）という上記刊行物１ないし５に記載されたものから当業者が予測できない顕著な作用効果を奏するものである。
　したがって、本件発明２は、上記刊行物１ないし５のいずれかに記載された発明と同一であるとは言えず、上記刊行物１ないし５に記載された発明に基づいて当業者が容易に発明をすることができたものとも言えない。
　
（４−３）本件発明３について
　本件発明３は、本件発明２に、色インクの添加材料の含有量が、黒インクより多くなるようにして、前記黒インク及び前記色インクを使用してカラー記録を行う点を技術的に限定したものであり、上記（４−２）にて説示したと同様の理由により、本件発明３は、上記刊行物１ないし５のいずれかに記載された発明と同一であるとは言えず、上記刊行物１ないし５に記載された発明に基づいて当業者が容易に発明をすることができたものとも言えない。
　
（４−４）本件発明４について
　本件発明４と刊行物１発明とを対比する。
　刊行物１発明の、「イエロー、マジェンタ、シアン、ブラック」、「記録ヘッド」は、それぞれの機能に照らし、それぞれ、本件発明４の「複数の色インク及び黒インク」、「インクジェットヘッド」に相当する。
　刊行物１発明の「記録紙にドット像を形成する」ことは、本件発明４の「記録紙上に記録を行う」ことに相当する。
　刊行物１発明の記録ヘッドは、図面第４図の記載を鑑みると、イエロー、マジェンタ、シアン、ブラックを個別に噴射する構成であるから、刊行物１発明の記録ヘッド（インクジェットヘッド）は、本件発明４のように、複数の色インク及び黒インクを個別に噴射するインクジェットヘッドである。
　刊行物１発明は、各インクの定着時間が１秒以内であるから、本件発明４とは、色インクの定着時間が１０秒以下である点で共通する。
　刊行物１発明は、４色のインクの減色混合によりフルカラー画像を記録できるものであるから、黒インクは単色で記録を行う点については明記されていないものの、本件発明４とは、色インクは所望の色を得る場合に相互に重ね合わせることでカラー記録を行う点、及び、黒インクおよび色インクを使用してカラー記録を行う点で共通する。
　
　してみると、本件発明４と刊行物１発明とは、
「複数の色インク及び黒インクを個別に噴射するインクジェットヘッドにより記録紙上に記録を行うカラーインクジェット記録装置において、
　前記色インクを、インクの定着時間を１０秒以下となるようするとともに、
　前記色インクは所望の色を得る場合に相互に重ね合わせることでカラー記録を行い、前記黒インクおよび前記色インクを使用してカラー記録を行うことを特徴とするカラーインクジェット記録装置。」
である点で、一致し、次の点で相違する。
　
［相違点１］
　色インクを、当該色インクが記録紙の耐水剤を溶かし、記録紙中に浸透するように、ヘキシレングリコールを含有する点。
［相違点２］
　黒インクを、当該黒インクが記録紙の耐水剤を溶かし、記録紙中に浸透する作用が色インクよりも弱くなるように色インクに含有させる量の半量のヘキシレングリコールを含有する点。
［相違点３］
　黒インクは単色で記録を行う点。
　
　そこで、刊行物２ないし５の記載事項をふまえて、上記相違点について検討する。
　
　刊行物２ないし５には、（４−１）に記載された事項が記載されている。
　
［相違点１について］
　刊行物３には、インクジェット記録用等に用いられる水性インクにおいて、紙のサイズ剤を完全溶解するために、ヘキシレングリコールを溶媒に使用することが記載されているので、刊行物４発明において、色インクを、当該色インクが記録紙の耐水剤を溶かし、記録紙中に浸透するように、ヘキシレングリコールを含有する程度のことは容易に想到しうる程度のものに過ぎない。
　
［相違点２について］
　刊行物３には、インクジェット記録用等に用いられる水性インクにおいて、紙のサイズ剤を完全溶解するために、ヘキシレングリコールを溶媒に使用することが記載されているので、刊行物１発明において、黒インクを、当該黒インクが記録紙の耐水剤を溶かし、記録紙中に浸透するように、ヘキシレングリコールを含有する程度のことは容易に想到しうる程度のものである。しかしながら、上記刊行物２ないし５のいずれにも、黒インクを、当該黒インクが記録紙の耐水剤を溶かし、記録紙中に浸透する作用が色インクよりも弱くなるように色インクに含有させる量の半量のヘキシレングリコールを含有する点については、記載も示唆もされていない。
　確かに、刊行物２には、単色に比べカラー記録の場合はより短かい定着時間が要求されることが記載されており、刊行物３には、ヘキシレングリコールの量が増えると、インクの記録紙への定着時間が短くなることが記載されている。
　しかしながら、刊行物２の構成は、従来のインクジェット記録装置のプラテン１と記録媒体１１が接触しない領域で、該プラテンに近接した位置にプラテン加熱装置１２を設ける図面第３図のような構成であり、仮に、本件発明４のように黒インクと色インクで記録媒体へのインクの浸透速度を変化させるためには、プラテン加熱装置は、黒インクの個所と色インクの個所で、加熱温度を変えるような構成であることが必要となるが、そのような構成は記載も示唆もされていない。すなわち、刊行物２の構成は、単色すなわち一色で記録する場合と、カラー記録をする場合で、加熱温度を変えるような構成に過ぎず、黒インクおよび色インクを使用してカラー記録を行う際に、インク毎に定着時間を変えるという思想は何ら出てこないし、刊行物３においても、ヘキシレングリコールの量が増えると、インクの記録紙への定着時間が短くなることが記載されているものの、インク毎にヘキシレングリコールの量を変えるという思想は何ら出てこない。
　したがって、刊行物１ないし５に記載されたものからでは、黒インクを、当該黒インクが記録紙の耐水剤を溶かし、記録紙中に浸透する作用が色インクよりも弱くなるように色インクに含有させる量の半量のヘキシレングリコールを含有する点については容易に発明することが出来たものとは言えない。
　
［相違点３について］
　刊行物５には、ＢＫ印字部に於いてはＢＫインクの１液滴のみが付着することが記載されており、これは、黒インクは単色で記録を行うことを意味するものであるし、刊行物１発明の構成においても、黒インクを噴射する構成が記載されているので、記録紙上に黒く印刷をする場合には、黒インクを単色で記録するような構成とすることは容易に想到しうる程度のものに過ぎない。
　
　上記の通りであるから、上記刊行物１ないし５のいずれにも、本件発明４の構成要件である、黒インクを、当該黒インクが記録紙の耐水剤を溶かし、記録紙中に浸透する作用が色インクよりも弱くなるように色インクに含有させる量の半量のヘキシレングリコールを含有する点黒について、記載も示唆もされていない。
　そして、本件発明４は、黒インクを、当該黒インクが記録紙の耐水剤を溶かし、記録紙中に浸透する作用が色インクよりも弱くなるように色インクに含有させる量の半量のヘキシレングリコールを含有する点により、「本発明によれば、色インクは数秒程度で浸透定着するので、色間での液状での混ざり合いが生じないために、鮮明な境界部を形成し、しかも定着時間が色インクより長い黒インクにより、単色でのみ使用される文字等の記録を行うため濃度の高い黒記録が実現できるなど、黒及びカラーの記録の両方について良好な印字品位を得ることができる。」（訂正明細書段落【００１６】参照。）という上記刊行物１ないし５に記載されたものから当業者が予測できない顕著な作用効果を奏するものである。
　したがって、本件発明４は、上記刊行物１ないし５のいずれかに記載された発明と同一であるとは言えず、上記刊行物１ないし５に記載された発明に基づいて当業者が容易に発明をすることができたものとも言えない。
　
（５）異議申立人東谷満が主張する記載不備及び要旨変更について
　異議申立人東谷満は、「本件請求項２には、・・・と記載されている。この記載は明らかに２種の作用の異なる添加材料を組み合せて色インクと黒インクのそれぞれに添加することを規定するものである。しかしながら、本件明細書の発明の詳細な説明の欄には、異なる作用の添加材料を用いる点についての記載は全くない。・・・耐水剤を溶かす２種の物質を色インクと黒インクの各々に添加するという思想は何ら記載されていない。すなわち、・・・本件請求項２にかかる特許発明は、発明の詳細な説明に記載された発明とはいえない。同様に本件請求項２に従属する請求項３にかかる発明もまた発明の詳細な説明に記載された発明とはいえない。従って、本件請求項２および３は特許法第３６条第４項および第５項に規定される要件を満たしていない。」と主張し、「請求項２、３に係る発明に関し、これらの請求項は平成１２年２月１４日付で提出された手続補正書によって新たに追加されたものである。そしてこれらの請求項にかかる発明については、上記した通り、出願時の願書に最初に添付された明細書には何ら記載もなく、よって、平成１２年２月１４日付の手続補正は、明らかに明細書の要旨を変更するものである。」と主張している。
　しかしながら、上記２．（１）イ．で示したように、請求項２は、
「複数の色インク及び黒インクを個別に噴射するインクジェットヘッドにより記録紙上に記録を行うカラーインクジェット記録方法において、
　前記色インク中に、記録紙の耐水剤を溶かし、記録紙中にインクを浸透させて、インクの定着時間を１０秒以下にせしめる添加材料を含有させるとともに、前記黒インク中に、記録紙の耐水剤を溶かし、記録紙中にインクを浸透させる作用が色インクよりも弱
くなるように前記添加材料
い、前記黒インクおよび前記色インクを使用してカラー記録を行
と訂正しており、「前記添加材料」なる記載から、色インクと黒インクの添加材料は同種のものであることが明らかになった。
　そして、出願時の願書に最初に添付された明細書には、「色インクに含有されるヘキシレングリコールは１０ｗｔ％であり、これに対して黒インクに含有されるヘキシレングリコールは５ｗｔ％であり、色インクのヘキシレングリコールの含有量が多くなっている。」（出願時の願書に最初に添付された明細書の段落【００１５】参照。）と記載されており、本件の原出願である特願平２−２７２９１０号の出願時の願書に最初に添付された明細書にも同じ記載があることから、ヘキシレングリコールがインクの添加材料であることを鑑みると、
「複数の色インク及び黒インクを個別に噴射するインクジェットヘッドにより記録紙上に記録を行うカラーインクジェット記録方法において、
　前記色インク中に、記録紙の耐水剤を溶かし、記録紙中にインクを浸透させて、インクの定着時間を１０秒以下にせしめる添加材料を含有させるとともに、前記黒インク中に、記録紙の耐水剤を溶かし、記録紙中にインクを浸透させる作用が色インクよりも弱
くなるように前記添加材料
い、前記黒インクおよび前記色インクを使用してカラー記録を行
という構成が、出願時の願書に最初に添付された明細書に記載されていることは明らかであり、特許を受けようとする発明が発明の詳細な説明に記載されたものであるので、請求項２および３は特許法第３６条第４項および第５項に規定される要件を満たしているし、平成１２年２月１４日付の手続補正は、明細書の要旨を変更するものではない。
　なお、異議申立人東谷満は、平成１２年２月１４日付の手続補正が明細書の要旨を変更するものであるから、本件特許の公開公報である特開平９−２９５４１８号公報より当業者が容易に想到し得る程度のものであると主張しているが、先に述べたように、平成１２年２月１４日付の手続補正は、明細書の要旨を変更するものではないので、この主張を認めることはできない。
　
（６）異議申立人高橋豊治が主張する記載不備について
　異議申立人高橋豊治は、「インクの組成を決定するにあたり、まず、記録紙の耐水剤としていかなる範囲のものが含まれるのか知らなければならないが、本件特許明細書にはいかなるものを耐水剤とするのかの説明がない。この耐水剤の種類が決まらなければ、これを溶かす作用を有するインク、つまり添加材料が決まらない。さらに、耐水剤を溶かす材料としていかなるものが採用できるのか、その説明が本件特許明細書にはない。よって、耐水剤の存在を知ったとしても、それを溶かす材料の選択の指標が本件明細書にはない。さらに、仮に、耐水剤を溶かす添加材料を知ることが出来たとしても、インクの定着時間が１０秒以下とするためには、どの程度の量添加すればよいかの説明は本件特許明細書にはない。・・・本件特許明細書を見ると、段落００１５において、「ヘキシレングリコールは記録紙６の耐水剤をとかす作用があり、含有量が多くなると、定着時間が短くなる」との説明がなされているのみである。このような記載から、用いる記録剤の耐水剤の種類に従い、この耐水剤を溶かす添加材料を決定し、さらにその添加量を知ることは容易ではなく、本件発明を実施しようとする当業者は、相当程度の実験を強いられることになる。よって、本件特許明細書には、当業者が容易に実施ができる程度に明確かつ十分に発明が記載されていない、」と主張している。
　しかしながら、平成１４年４月１日付けの特許異議意見書と共に提出された乙第４号証（小宮英俊著、「おもしろい紙のはなし」、初版第１刷、日刊工業出版プロダクション、１９９０年１１月３０日、ｐ．７６−７７）には、「日本では現在、上質紙の１０パーセント以上が中性紙となっている。」と記載されていることから鑑みると、出願当時には、我が国において使用されている上質紙のほとんどが酸性紙である。そして、酸性紙においては、一般にロジンを耐水剤として使用しているので、通常の記録紙という概念から考えると、記録紙の耐水剤としては、ロジンを使用したと考えるのが普通である。そして、上記３．（３）における刊行物３のｅ，ｆにも記載されているように、ヘキシレングリコールは、ロジンを完全溶解すること、ロジン以外のサイズ剤（耐水剤）に対しても、充分な効果を示すことが、出願当時には広く知られており、一般の記録紙においては、ヘキシレングリコールが耐水剤を溶かす作用を有するインクの添加材料として選ばれることは、当業者ならば当然に思いつくことである。
　さらに、本件特許明細書には、「色インクに含有されるヘキシレングリコールは１０ｗｔ％であり、これに対して黒インクに含有されるヘキシレングリコールは５ｗｔ％であり、色インクのヘキシレングリコールの含有量が多くなっている。ヘキシレングリコールは記録紙６の耐水剤をとかす作用があり、含有量が多くなると、定着時間が短くなる。このように、色インクの定着時間を黒インクの定着時間より短くなるようにしており、また、色インクの定着時間を所定時間、例えば１０秒以下となるようにしている。」（段落【００１５】）と記載されていることから、特許明細書の発明の詳細な説明の記載から、耐水剤を溶かす材料の一例としてヘキシレングリコールを選択し、色インクに含有されるヘキシレングリコールを１０ｗｔ％とし、黒インクに含有されるヘキシレングリコールを５ｗｔ％とすれば、当業者は、容易に本件発明が実施できるものである。
　したがって、発明の詳細な説明には、当業者が容易にその実施をすることができる程度に、その発明の目的、構成、効果が記載されており、特許法第３６条第３項に規定される要件を満たしている。
　
（７）むすび
　以上のとおりであるから、特許異議の申立の理由及び証拠によっては本件請求項１ないし４に係る発明についての特許を取り消すことはできない。
　また、他に本件請求項１ないし４に係る発明についての特許を取り消すべき理由を発見しない。
　したがって、本件請求項１ないし４に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月８日（２００２．５．８）
【訂正の要旨】
訂正の要旨
　本件訂正は、特許請求の範囲の減縮、特許請求の範囲及び詳細な説明の明瞭でない記載の釈明を目的として、願書に添付した明細書の記載を以下のア．乃至オ．のように訂正するものである。
ア．特許請求の範囲の請求項１の記載について、
「複数の色インク及び黒インクを個別に噴射するインクジェットヘッドにより記録紙上に記録を行うカラーインクジェット記録方法において、
　前記色インクを、当該色インクが記録紙の耐水剤を溶かし、記録紙中に浸透する作用により、インクの定着時間を１０秒以下となるようにヘキシレングリコールを混入するとともに、
　前記黒インクを、当該黒インクが記録紙の耐水剤を溶かし、記録紙中に浸透する作用が色インクよりも弱くなるようにヘキシレングリコールを前記色インクの半量混入し、
　前記黒インクは単色で、前記色インクは所望の色を得る場合に相互に重ね合わせることで記録を行い、前記黒インクおよび前記色インクを使用してカラー記録を行うことを特徴とするカラーインクジェット記録方法。」
と訂正する。
イ．特許請求の範囲の請求項２の記載について、
「複数の色インク及び黒インクを個別に噴射するインクジェットヘッドにより記録紙上に記録を行うカラーインクジェット記録方法において、
　前記色インク中に、記録紙の耐水剤を溶かし、記録紙中にインクを浸透させて、インクの定着時間を１０秒以下にせしめる添加材料を含有させるとともに、前記黒インク中に、記録紙の耐水剤を溶かし、記録紙中にインクを浸透させる作用が色インクよりも弱くなるように前記添加材料を含有させ、前記黒インクは単色で、前記色インクは所望の色を得る場合に相互に重ね合わせることで記録を行い、前記黒インクおよび前記色インクを使用してカラー記録を行うことを特徴とするカラーインクジェット記録方法。」
と訂正する。
ウ．特許請求の範囲の請求項３の記載について、
「前記色インクの添加材料の含有量が、前記黒インクより多くなるようにして、前記黒インク及び前記色インクを使用してカラー記録を行うことを特徴とする請求項２記載のカラーインクジェット記録方法。」
と訂正する。
エ．特許請求の範囲の請求項４の記載について、
「複数の色インク及び黒インクを個別に噴射するインクジェットヘッドにより記録紙上に記録を行うカラーインクジェット記録装置において、
　前記色インクを、当該色インクが記録紙の耐水剤を溶かし、記録紙中に浸透する作用により、インクの定着時間を１０秒以下となるようにヘキシレングリコールを含有するとともに、
　前記黒インクを、当該黒インクが記録紙の耐水剤を溶かし、記録紙中に浸透する作用が色インクよりも弱くなるように前記色インクに含有させる量の半量のヘキシレングリコールを含有させ、
　前記黒インクは単色で、前記色インクは所望の色を得る場合に相互に重ね合わせることで、カラー記録を行い、前記黒インクおよび前記色インクを使用してカラー記録を行うことを特徴とするカラーインクジェット記録装置。」
と訂正する。
オ．明細書の段落【０００６】の記載について、
「【課題を解決するための手段】
　本発明のカラーインクヘッド記録方法は、複数の色インク及び黒インクを個別に噴射するインクジェットヘッドにより記録紙上に記録を行うカラーインクジェット記録方法において、前記色インクを、当該色インクが記録紙の耐水剤を溶かし、記録紙中に浸透する作用により、インクの定着時間を１０秒以下となるようにヘキシレングリコールを混入するとともに、前記黒インクを、当該黒インクが記録紙の耐水剤を溶かし、記録紙中に浸透する作用が色インクよりも弱くなるようにヘキシレングリコールを前記色インクの半量混入し、前記黒インクは単色で、前記色インクは所望の色を得る場合に相互に重ね合わせることで記録を行い、前記黒インクおよび前記色インクを使用してカラー記録を行う。」
と訂正する。
（５４）【発明の名称】
カラーインクジェット記録方法およびカラーインクジェット装置
（５７）【特許請求の範囲】
　【請求項１】
　複数の色インク及び黒インクを個別に噴射するインクジェットヘッドにより記録紙上に記録を行うカラーインクジェット記録方法において、
　前記色インクを、当該色インクが記録紙の耐水剤を溶かし、記録紙中に浸透する作用により、インクの定着時間を１０秒以下となるよう
にヘキシレングリコールを混入する
　前記黒インクを、当該黒インクが記録紙の耐水剤を溶かし、記録紙中に浸透する作用が色インクよりも弱くなるよう
にヘキシレングリコールを前記色インクの半量混入
　前記黒インクは単色で、前記色インクは所望の色を得る場合に相互に重ね合わせることで記録を行
い、前記黒インクおよび前記色インクを使用してカラー記録を行
　【請求項２】
　複数の色インク及び黒インクを個別に噴射するインクジェットヘッドにより記録紙上に記録を行うカラーインクジェット記録方法において、
　前記色インク中に、記録紙の耐水剤を溶かし、記録紙中にインクを浸透させて、インクの定着時間を１０秒以下にせしめる添加材料を含有させるとともに、前記黒インク中に、記録紙の耐水剤を溶かし、記録紙中にインクを浸透させる作用が色インクより弱
くなるように前記添加材料
い、前記黒インクおよび前記色インクを使用してカラー記録を行
　【請求項３】
　前記色インクの添加材料の含有量が、前記黒インクより多
くなるようにして、前記黒インク及び前記色インクを使用してカラー記録を行う
　【請求項４】
　複数の色インク及び黒インクを個別に噴射するインクジェットヘッドにより記録紙上に記録を行うカラーインクジェット記録装置において、
　前記色インクを、当該色インクが記録紙の耐水剤を溶かし、記録紙中に浸透する作用によりインクの定着時間を１０秒以下となるように
ヘキシレングリコールを含有
　前記黒インクを、当該黒インクが記録紙の耐水剤を溶かし、記録紙中に浸透する作用が色インクよりも弱
くなるように前記色インクに含有させる量の半量のヘキシレングリコールを含有させ
　前記黒インクは単色で、前記色インクは所望の色を得る場合に相互に重ね合わせることでカラー記録を行
い、前記黒インクおよび前記色インクを使用してカラー記録を行
【発明の詳細な説明】
　【０００１】
　【発明の属する技術分野】
　本発明は、インクジェットヘッドを用いてカラー記録を行うカラーインクジェット記録方法および装置に関する。
　インクジェット記録方法は、インク小滴を記録紙上に所定の情報パターンで付着させて印刷を行うものであり、高速印字、低騒音、普通紙使用による低ランニングコストなどの利点を有し、近年注目されている。特に、印字品位の高いカラー記録を行うことができるインクジェット記録方法および装置の開発が要望されている。
　【０００２】
　【従来の技術】
　従来のカラーインクジェット記録方法としては、例えば、黒、シアン、マゼンタ、イエローの各インクを個別に噴射する４つのインクジェットヘッドを用いて、圧電素子、発熱素子などの吐出エネルギー発生素子による圧力発生によってインク滴を吐出させ、記録紙上にカラー記録を行うものがある。
　【０００３】
　この場合、黒インクは、図３の英字や数字等の文字印字のように単色のみで使用し、黒と他の色との重ね合わせは行わない。一方、色（イエロー、マゼンタ、シアンなど）インクは重ね印字を行う。このように、カラー記録では、黒インクと他の色インクでは使用条件が異なっている。
　【０００４】
　【発明が解決しようとする課題】
　しかしながら、このような従来のカラーインクジェット記録方法にあっては、カラー記録を行うと、例えば緑（シアンインクとイエローインク）で記録したベタ印字領域と赤（イエローインクとマゼンタインク）で記録したベタ印字領域が接すると、２色のインクが記録紙上で液体の状態で接するため、インク同士が境界部で混ざりあい、印字品質が大きく低下するという問題点があった（図３、参照）。
　【０００５】
　本発明は、このような従来の問題点に鑑みてなされたものであって、印字品位の高いカラー記録を行うことができるカラーインクジェット記録方法および装置を提供することを目的とする。
　【０００６】
　【課題を解決するための手段】
　本発明のカラーインクヘッド記録方法は、複数の色インク及び黒インクを個別に噴射するインクジェットヘッドにより記録紙上に記録を行うカラーインクジェット記録方法において、前記色インクを、当該色インクが記録紙の耐水剤を溶かし、記録紙中に浸透する作用により、インクの定着時間を１０秒以下となるよう
にヘキシレングリコールを混入する
にヘキシレングリコールを前記色インクの半量混入
い、前記黒インクおよび前記色インクを使用してカラー記録を行
　【０００７】
　ところで、インクが記録紙上で、液体の状態でインク同士が接することにより、混ざり合うために、印字品位の低下が生じる。そこで、インクの記録紙への浸透時間と色間の混ざり合いの関係を求めた結果を下表に示す。
　【０００８】
　【表１】
　【０００９】
　この結果により、色インクの定着時間を所定時間、例えば１０秒以下とすると、色間の混ざり合いの少ない良好な印字品位が得られることが明らかとなった。このように、黒インクに比較して色インクの定着時間をより短くし、かつ、色インクの定着時間を色間の境界部での混色をほとんど発生しない時間とすることにより、境界のはっきりした印字品位の良いカラー記録を行うことができた。
　【００１０】
　【発明の実施の形態】
　以下、本発明の実施形態を図面に基づいて説明する。
　図１および図２は本発明の一実施形態を示す図である。
　図１において、１はキャリッジであり、キャリッジ１はシャフト２，３上に軸方向に移動可能に取り付けられている。キャリッジ１上には黒、シアン、マゼンタ、およびイエローの各インクを個別に噴射する４つのインクジェットヘッド４Ａ〜４Ｄが搭載されている。これらのインクジェットヘッド４Ａ〜４Ｄの駆動により、プラテン５上の記録紙６にカラー記録が行われる。
　【００１１】
　インクジェットヘッド４Ａ〜４Ｄの構成を第２図に示す。
　図２において、７はインクジェットヘッド４Ａ〜４Ｄの基板であり、基板７はステンレスにより形成されている。８はインクジェットヘッド４Ａ〜４Ｄの振動板であり、振動板８は同じくステンレスにより形成されている。
　９は基板７と振動板８により構成されるノズルであり、ノズル９は先端部に吐出口を有し、インク滴を噴射する。
　【００１２】
　１０は基板７と振動板８により構成される圧力室であり、圧力室１０はノズル９に連通している。
　１１は圧力発生手段としてのピエゾ素子（圧力素子）であり、ピエゾ素子１１は圧力室１０の外側の振動板８上に設けられている。ピエゾ素子１１はノズル９からインクを噴射するための圧力を発生する。
　【００１３】
　１２は圧力室１０に連通する通路であり、通路１２から圧力室１０にインクを供給する。通路１２はインク室１３にそれぞれ連通しており、インク室１３はインク供給室に連通する供給口１４を有している。
　次に、前記インクジェットプリンタを用いてカラー記録を行った結果を説明する。
　【００１４】
　使用したインクの組成は以下の通りである。
　　色（黒以外）インク
　　　ヘキシレングリコール　１０ｗｔ％
　　　グリセリン　　　　　　２５ｗｔ％
　　　トリエタノールアミン　　２ｗｔ％
　　　水　　　　　　　　　　６１ｗｔ％
　　　染料　　　　　　　　　　２ｗｔ％
　　　黒インク
　　　　ヘキシレングリコール　　５ｗｔ％
　　　　グリセリン　　　　　　３０ｗｔ％
　　　　トリエタノールアミン　　２ｗｔ％
　　　　水　　　　　　　　　　６１ｗｔ％
　　　　染料　　　　　　　　　　２ｗｔ％
　色インクに含有されるヘキシレングリコールは１０ｗｔ％であり、これに対して黒インクに含有されるヘキシレングリコールは５ｗｔ％であり、色インクのヘキシレングリコールの含有量が多くなっている。ヘキシレングリコールは記録紙６の耐水剤をとかす作用があり、含有量が多くなると、定着時間が短くなる。このように、色インクの定着時間を黒インクの定着時間より短くなるようにしており、また、色インクの定着時間を所定時間、例えば１０秒以下となるようにしている。
　【００１５】
　上記の色インクおよび黒インクを使用して、インクジェットヘッド４Ａ〜４Ｄを駆動して、記録紙６にカラー記録を行った結果、色間での境界部において色の混ざり合いが生じないので、高い印字品位を得ることができた。
　なお、インクジェットプリンタとして、本実施形態ではオンデマンド型のものを用いたが、これに限定されるものではなく、連続噴射型のもの、静電吸引型のものを用いて良い。
　【００１６】
　【発明の効果】
　以上述べたように、本発明によれば、色インクは数秒程度で浸透定着するので、色間での液状での混ざり合いが生じないために、鮮明な境界部を形成し、しかも定着時間が色インクより長い黒インクにより、単色でのみ使用される文字等の記録を行うため濃度の高い黒記録が実現できるなど、黒及びカラーの記録の両方について良好な印字品位を得ることができる。
【図面の簡単な説明】
　【図１】本発明の一実施形態に係るインクジェットプリンタを示す図
　【図２】インクジェットヘッドの一部断面斜視図
　【図３】問題点の説明図
　【符号の説明】
１：キャリッジ
２，３：シャフト
４Ａ〜４Ｄ：インクジェットヘッド
５：プラテン
６：記録紙
７：基板
８：振動板
９：ノズル
１０：圧力室
１１：ピエゾ素子
１２：通路
１３：インク室
１４：供給口